(57)【要約】【課題】ＬＥＤ発光力を安定化することができるとともに、光ビーコンＬＥＤの順方向電圧ＶＦＭの使用可能電圧幅を広くすることができ、歩留りを良くしてＬＥＤのコストを安くすることができる光ビーコンＬＥＤ駆動回路を提供すること。【解決手段】光ビーコン用ＬＥＤ１１の駆動回路１１を、ＬＥＤ発光信号パルスを一定電圧振幅レベルにクランプするクランプ回路１４と、ＬＥＤ１１を駆動するトランジスタと、トランジスタのエミッタとグランド間に介装された負荷抵抗１３とから構成し、一定電圧にクランプされたＬＥＤ発光信号をトランジスタのベースに入力してエミッタ電圧を決定し、前記負荷抵抗１３により決まる電流をＬＥＤ発光信号のパルスに合わせてＬＥＤ１１に流す。【選択図】      図１
2004241908.tif 000002
【特許請求の範囲】
【請求項１】
光ビーコン用ＬＥＤをＬＥＤ発光信号のパルスに合わせて定電流で駆動する駆動回路を有する光ビーコンＬＥＤ駆動回路であって、
前記駆動回路は、前記ＬＥＤ発光信号パルスを一定電圧振幅レベルにクランプするクランプ回路と、前記光ビーコンＬＥＤを駆動するトランジスタと、前記トランジスタのエミッタとグランド間に介装された抵抗とを有し、一定電圧にクランプされたＬＥＤ発光信号を前記トランジスタのベースに入力することによりエミッタ電圧を決定し、前記トランジスタのエミッタとグランド間の抵抗により決まる電流をＬＥＤ発光信号のパルスに合わせて前記光ビーコンＬＥＤに流すことを特徴とする光ビーコンＬＥＤ駆動回路。
【請求項２】
前記クランプ回路をツェナーダイオードで構成し、前記ツェナーダイオードの温度特性が前記ベース・エミッタ間電圧の温度特性と同じ特性を持つ素子を使用したことを特徴とする請求項１記載の光ビーコンＬＥＤ駆動回路。
【請求項３】
前記クランプ回路を前記ツェナーダイオードと直列に接続したダイオードで構成し、前記ダイオードで前記トランジスタのベース・エミッタ間電圧の温度特性を補正することを特徴とする請求項２記載の光ビーコンＬＥＤ駆動回路。
【請求項４】
前記クランプ回路と前記トランジスタのベース間に電圧分割回路を有し、前記電圧分割回路が前記トランジスタのベース・エミッタ間電圧の温度特性を補正することを特徴とする請求項１記載の光ビーコンＬＥＤ駆動回路。
【請求項５】
前記駆動回路は、前記ＬＥＤ発光信号パルスを一定電圧振幅レベルにクランプするクランプ回路と、前記ＬＥＤを駆動するトランジスタと、前記トランジスタをオン・オフ制御するオペアンプ回路とを有し、クランプしたＬＥＤ発光信号を前記オペアンプ回路に入力し、前記トランジスタのエミッタとグランド間に接続した負荷抵抗の電圧をオペアンプにフィードバックさせ、前記オペアンプに入力した信号電圧と負荷抵抗での電圧を一致させることで、ＬＥＤ発光信号のパルスに合わせて定電流で前記ＬＥＤを駆動することを特徴とする請求項１記載の光ビーコンＬＥＤ駆動回路。
【発明の詳細な説明】
【０００１】
【発明の属する技術分野】
本発明は、カーナビゲーション装置等に渋滞や規制の道路情報を伝える光ビーコンＬＥＤ駆動回路に関するものである。
【０００２】
【従来の技術】
近時、都道府県警察や道路管理者の管理する車両探知機や遠隔操作カメラによって収集される情報を日本道路交通情報センターを経由してＶＩＣＳセンターに送り、ここで情報を編集して各地に設置された電波ビーコン、光ビーコン、ＦＭ多重放送からなるＶＩＣＳ路上機を通じてリアルタイムで送信し、この情報をカーナビゲーション等の車載機に設けられた電波ビーコン、光ビーコン、ＦＭ文字多重チューナーからなるＶＩＣＳ車載機で受信し、文字・図形で表示するＶＩＣＳが普及している。また、ＶＩＣＳ車載機からＶＩＣＳ路上機に信号を送信してＶＩＣＳ情報の要求を行なうようになっている。
【０００３】
従来のＶＩＣＳ車載機の中で光ビーコンは近赤外線を利用した通信方式で光ビーコン前後の送信領域を送信領域として、進行方向の交通情報を中心に送信するようになっており、この光ビーコンはＶＩＣＳ車載機光ビーコンＬＥＤ駆動回路によって駆動されている。
【０００４】
従来のこの種のＶＩＣＳ車載機光ビーコンＬＥＤ駆動回路としては、例えば、特許文献１に記載されたものが知られており、図６のように示される。
【０００５】
図６において、ＶＩＣＳ車載機光ビーコンＬＥＤ（以下、ＬＥＤという）駆動回路は、ＬＥＤ１と負荷抵抗２とＬＥＤ駆動用のＦＥＴ３がシリーズに接続されており、ＬＥＤ発光信号のパルスをＦＥＴ３のゲートに入力する構成となっている。ＬＥＤ１の順方向電圧をＶＦＭとすると、ＬＥＤ１のアノードに一定電圧ＶＤＤを印可し、ＬＥＤ発光信号のパルスがＨｉの期間にＬＥＤ駆動用ＦＥＴがＯＮし、ＬＥＤ１に（ＶＤＤ−ＶＦＭ）÷ＲＳの電流が流れて発光し、ＬＥＤ発光信号のパルスがＬＯＷの期間はＬＥＤ１がＯＦＦし、電流が流れない状態となり発光しない。これによりＶＩＣＳ車載機からＶＩＣＳ路上機への通信がなされるように構成されている。
【０００６】
【特許文献１】
特開平１０―３２５８６０号公報
【０００７】
【発明が解決しようとする課題】
しかしながら、このような従来のＶＩＣＳ車載機光ビーコンＬＥＤ駆動回路にあっては、ＶＩＣＳ車載機からＶＩＣＳ路上機への通信のためＬＥＤ１には１Ａ程度の大きな電流を流す必要があり、かつ、ＬＥＤ１の内部抵抗バラツキが大きいため、ＬＥＤ１の発光時の内部抵抗による電圧降下のバラツキが大きくなり、ＬＥＤ１の順方向電圧ＶＦＭが大きくばらついてしまい、例えば３．８Ｖ〜７．４Ｖ程度にばらついてしまった。
【０００８】
このため、ＬＥＤ１に流れる電流が大きくばらついてしまい、ＬＥＤ１の発光力が大きくばらついてしまうとともに、ＬＥＤ１の順方向電圧ＶＦＭが大きい場合、ＬＥＤ１に流れる電流が少なく、ＶＩＣＳ車載機からＶＩＣＳ路上機への通信を行うための発光力が不足してしまう。
【０００９】
また、ＬＥＤ１の順方向電圧をＶＦＭが小さい場合、ＬＥＤ１に流れる電流が多くなり、ＬＥＤ１に流せる最大電流規格値をオーバーすることがある。このため、ＬＥＤ１の順方向電圧をＶＦＭによる素子選別が必要となり、その電圧幅が狭いために歩留りが悪くなりＬＥＤ１のコストが高くなってしまう問題があった。
【００１０】
本発明は、上記従来の問題を解決するためになされたもので、ＬＥＤ発光力を安定化することができるとともに、光ビーコンＬＥＤの順方向電圧ＶＦＭの使用可能電圧幅を広くすることができ、歩留りを良くしてＬＥＤのコストを安くすることができる光ビーコンＬＥＤ駆動回路を提供することを目的とする。
【００１１】
【課題を解決するための手段】
本発明のビーコンＬＥＤ駆動回路は、光ビーコン用ＬＥＤをＬＥＤ発光信号のパルスに合わせて定電流で駆動する駆動回路を有し、前記駆動回路は、前記ＬＥＤ発光信号パルスを一定電圧振幅レベルにクランプするクランプ回路と、前記光ビーコンＬＥＤを駆動するトランジスタと、前記トランジスタのエミッタとグランド間に介装された抵抗とを有し、一定電圧にクランプされたＬＥＤ発光信号を前記トランジスタのベースに入力することによりエミッタ電圧を決定し、前記トランジスタのエミッタとグランド間の抵抗により決まる電流をＬＥＤ発光信号のパルスに合わせて前記光ビーコンＬＥＤに流すように構成される。
【００１２】
このような構成により、ＬＥＤの発光力はＬＥＤに流れる電流に比例し、ＬＥＤに流れる電流が一定であれば、発光力はＬＥＤの順方向電圧ＶＦＭに関係なく一定にできる。このため、光ビーコンＬＥＤに流れる電流値がＬＥＤ発光信号のパルスに合わせて一定となり、発光力が安定すると共に、ＬＥＤの順方向電圧ＶＦＭがいくら小さくても使用可能であり、素子の選別範囲が非常に広がり、ＬＥＤのコストを安くすることができることとなる。
【００１３】
また、光ビーコンＬＥＤを駆動するトランジスタのエミッタ電圧をエミッタとグランド間の抵抗で割った電流値が光ビーコンＬＥＤに流れる電流値としてＬＥＤ発光信号のパルスに合わせて一定となり、発光力が安定すると共に、ＬＥＤの順方向電圧ＶＦＭがいくら小さくてもＬＥＤに流れる電流値は一定であり、素子の選別範囲が非常に広がり、ＬＥＤのコストを安くすることができることとなる。
【００１４】
また、本発明の光ビーコンＬＥＤ駆動回路は、前記クランプ回路をツェナーダイオードで構成し、前記ツェナーダイオードの温度特性が前記トランジスタのベース・エミッタ間電圧の温度特性と同じ特性を持つ素子を使用するように構成される。
【００１５】
このような構成により、光ビーコンＬＥＤ発光信号のパルスの電圧振幅はツェナーダイオードの電圧Ｖｚに固定され、トランジスタのエミッタ電圧はＶｚ−ＶＢＥとなりＬＥＤに流れる電流が一定となり、素子の選別範囲が非常に広がり、ＬＥＤのコストを安くすることができる上に、ＶｚとＶＢＥの温度特性を同一に合わせたため、温度が変化しても、同一の電圧変化となりエミッタ電圧が一定のままでありＬＥＤに流れる電流が一定のままとなる。
【００１６】
また、本発明の光ビーコンＬＥＤ駆動回路は、前記クランプ回路を前記ツェナーダイオードと直列に接続したダイオードで構成し、前記ダイオードで前記トランジスタのベース・エミッタ間電圧の温度特性を補正するように構成される。
【００１７】
このような構成により、光ビーコンＬＥＤ発光信号のパルスの電圧振幅はツェナーダイオードの電圧Ｖｚ＋直列接続されたダイオード電圧ＶＤに固定され、トランジスタのエミッタ電圧はＶＢＥ＝ＶＤのためＶｚとなりＬＥＤに流れる電流が一定となり、素子の選別範囲が非常に広がり、ＬＥＤのコストを安くすることができる上に、ＶＤとＶＢＥの温度特性は同一なるため、温度が変化しても、エミッタ電圧Ｖｚは一定のままでありＬＥＤに流れる電流が一定のままとなる。
【００１８】
また、本発明の光ビーコンＬＥＤ駆動回路は、前記クランプ回路と前記トランジスタのベース間に電圧分割回路を有し、前記電圧分割回路が前記トランジスタのベース・エミッタ間電圧の温度特性を補正するように構成される。
【００１９】
このような構成により、光ビーコンＬＥＤ発光信号のパルスの電圧振幅は一度クランプ回路の電圧に固定され、電圧分割回路で電圧を任意の電圧に下げ、その電圧からＶＢＥ分だけ低い電圧にエミッタ電圧が固定され、ＬＥＤに流れる電流が一定となり、素子の選別範囲が非常に広がり、ＬＥＤのコストを安くすることができる。
【００２０】
これに加えて、クランプ回路の電圧値を自由に選択でき、かつ、クランプ回路とＬＥＤ駆動用トランジスタのＶＢＥの温度特性が異なっている場合に、電圧分割回路に温度特性を持たせることにより温度が変化しても、エミッタ電圧を一定のままであり、ＬＥＤに流れる電流が一定のままとなる。
【００２１】
また、本発明の光ビーコンＬＥＤ駆動回路は、前記駆動回路は、前記ＬＥＤ発光信号パルスを一定電圧振幅レベルにクランプするクランプ回路と、ＬＥＤを駆動するトランジスタと、前記トランジスタをオン・オフ制御するオペアンプ回路とを有し、クランプした前記ＬＥＤ発光信号を前記オペアンプ回路に入力し、前記トランジスタのエミッタとグランド間に接続した負荷抵抗の電圧をオペアンプにフィードバックさせ、前記オペアンプに入力した信号電圧と負荷抵抗での電圧を一致させることで、ＬＥＤ発光信号のパルスに合わせて定電流で前記ＬＥＤを駆動するように構成される。
【００２２】
このような構成により、光ビーコンＬＥＤに流れる電流値がＬＥＤ発光信号のパルスに合わせて一定となり、発光力が安定すると共に、ＬＥＤの順方向電圧ＶＦＭがいくら小さくても使用可能となる。この結果、素子の選別範囲が非常に広がり、ＬＥＤのコストを安くすることができる。
【００２３】
【発明の実施の形態】
以下、本発明の実施形態を図面に基づいて説明する。
図１は本発明に係る光ビーコンＬＥＤ駆動回路の第１実施の形態を示す図である。
【００２４】
まず、構成を説明する。図１において、駆動回路は、ＶＩＣＳ車載機光ビーコンＬＥＤ（以下単にＬＥＤという）１１を駆動するＬＥＤＬＥＤ駆動素子１２、負荷抵抗１３およびクランプ回路１４を備えている。
【００２５】
ＬＥＤ１１は、近赤外線を発光しＶＩＣＳ車載機からＶＩＣＳ路上機に通信を行うものである。ＬＥＤＬＥＤ駆動素子１２は、ＬＥＤ発光信号のパルスに合わせてＬＥＤを駆動するトランジスタ（例えば、ＮＰＮトランジスタ）である。負荷抵抗１３はＬＥＤ１１に流れる電流値を決める抵抗である。また、クランプ回路１４はＬＥＤ発光信号のパルスを一定振幅にクランプさせる回路である。
【００２６】
次に、以上のように構成されたＶＩＣＳ車載機光ビーコンＬＥＤ駆動回路についてその動作を説明する。
【００２７】
まず、ＬＥＤ発光信号のパルスがクランプ回路１４に入り、一定振幅電圧にクランプされてＬＥＤ駆動素子１２のトランジスタのベースに入力される。トランジスタのベース電圧に比べベース・エミッタ間電圧だけ低い電圧がＬＥＤ駆動素子１２のエミッタ電圧として出力される。
【００２８】
その電圧を負荷抵抗（抵抗Ｒｓ）１３で割った値の電流がＬＥＤ１１のＬＥＤ駆動電流として流れ、ＬＥＤ１１の順方向電圧ＶＦＭと無関係にＬＥＤ発光信号のパルスのＨｉ期間に一定電流として流れる。
【００２９】
このため、本実施の形態による駆動回路は、従来の駆動回路に比べて駆動電流値がばらつかないため、発光力（発光ＰＯＷＥＲ）を安定化することができ、ＬＥＤ１１の順方向電圧ＶＦＭと無関係に電流値を決定することができる。このため、ＬＥＤ１１の歩留りを良好にすることができ、素子コストを安くできる。
【００３０】
図２は本発明に係る光ビーコンＬＥＤ駆動回路の第２実施の形態を示す図である。なお、本実施の形態では、第１実施の形態と同様の構成には同一番号を付して説明を省略する。
【００３１】
図２において、クランプ回路はツェナーダイオード２１から構成されており、このツェナーダイオード２１は入力されたＬＥＤ発光信号のパルスの電圧振幅をツェナー電圧Ｖｚにクランプする作用を行うものであって、そのツェナーダイオード２１としては、その温度特性がＬＥＤＬＥＤ駆動素子１２のトランジスタのベース・エミッタ間電圧の温度特性と同じ特性を持つ素子が使用される。
【００３２】
次に、以上のように構成されたＶＩＣＳ車載機光ビーコンＬＥＤ駆動回路についてその動作を説明する。
【００３３】
まず、ＬＥＤ発光信号のパルスが入力されると、ツェナーダイオード２１により一定振幅電圧にクランプされてＬＥＤ駆動素子１２のトランジスタのベースに入力される。トランジスタのベース電圧に比べベース・エミッタ間電圧だけ低い電圧がＬＥＤ駆動素子１２のエミッタ電圧として出力される。
【００３４】
この電圧を付加抵抗（抵抗Ｒｓ）１３で割った値の電流がＬＥＤ１１のＬＥＤ駆動電流として流れ、ＬＥＤ１１の順方向電圧ＶＦＭと無関係にＬＥＤ発光信号のパルスのＨｉ期間に一定電流として流れる。
【００３５】
また、ＬＥＤＬＥＤ駆動素子１２のトランジスタのベース・エミッタ間電圧の温度特性にツェナーダイオード２１の温度特性を合わせた素子を用いているため、温度が変化してもＬＥＤ駆動素子１２のトランジスタのエミッタ電圧は変化しない一定電圧にすることができる。
【００３６】
このため、本実施の形態による駆動回路は、従来の駆動回路に比べて、駆動電流値がばらつかないため、発光力を安定化することができ、ＬＥＤ１１の順方向電圧ＶＦＭと無関係に電流値を設定することができる。このため、ＬＥＤ１１の歩留りを良好にすることができ、素子コストを安くできる。
【００３７】
図３は本発明に係る光ビーコンＬＥＤ駆動回路の第３実施の形態を示す図である。なお、本実施の形態では、第１実施の形態と同様の構成には同一番号を付して説明を省略する。
【００３８】
図３において、クランプ回路はツェナーダイオード３１およびダイオード３２から構成される。ツェナーダイオード３１は、入力されたＬＥＤ発光信号のパルスの電圧振幅をツェナー電圧Ｖｚにクランプする作用を行うものであり、ダイオード３２は、その温度特性が、ＬＥＤＬＥＤ駆動素子１２のトランジスタのベース・エミッタ間電圧の温度特性と同じ特性を持つ素子を使用している。
【００３９】
次に、以上のように構成されたＶＩＣＳ車載機光ビーコンＬＥＤ駆動回路についてその動作を説明する。
【００４０】
まず、ＬＥＤ発光信号のパルスが入力されると、ダイオード３２とツェナーダイオード３１により一定振幅電圧にクランプされてＬＥＤ駆動素子１２のトランジスタのベースに入力される。
【００４１】
トランジスタのベース電圧に比べベース・エミッタ間電圧だけ低い電圧がＬＥＤ駆動素子１２のエミッタ電圧として出力される。この電圧を負荷抵抗（抵抗Ｒｓ）１３で割った値の電流が、ＬＥＤ１１のＬＥＤ駆動電流として流れ、ＬＥＤ１１の順方向電圧ＶＦＭと無関係にＬＥＤ発光信号のパルスのＨｉ期間に一定電流として流れる。
【００４２】
また、ダイオード３２は、その温度特性が、ＬＥＤＬＥＤ駆動素子１２のトランジスタのベース・エミッタ間電圧の温度特性と同じ特性を持つ素子を使用しているため、温度が変化してもＬＥＤ駆動素子１２のトランジスタのエミッタ電圧は変化しない一定電圧にすることができる。
【００４３】
このため、本実施の形態による駆動回路は、従来の駆動回路に比べて、駆動電流値がばらつかないため、発光力を安定化することができ、ＬＥＤ１１の順方向電圧ＶＦＭと無関係に電流値を設定することができる。このため、ＬＥＤ１１の歩留りを良好にすることができ、素子コストを安くできる。
【００４４】
ここで、ダイオードの３２の温度特性をＬＥＤＬＥＤ駆動素子１２のトランジスタのベース・エミッタ間電圧の温度特性と同じ特性にしたが、温度による傾きを故意に設定したい場合、そのような温度補正を掛ける特性のダイオードで温度補正してもかまわない。
【００４５】
図４は本発明に係る光ビーコンＬＥＤ駆動回路の第４実施の形態を示す図である。なお、本実施の形態では、第１実施の形態と同様の構成には同一番号を付して説明を省略する。
【００４６】
図４において、ツェナーダイオード４１は、入力されたＬＥＤ発光信号のパルスの電圧振幅をツェナー電圧Ｖｚにクランプする作用を行うものであり、抵抗４２、４３は、前述のツェナー電圧Ｖｚを電圧分割し、ＬＥＤＬＥＤ駆動素子１２のトランジスタのベース電圧を希望の値にするためのもの電圧分割回路である。
【００４７】
また、その電圧分割回路を通過した電圧の温度特性が、ＬＥＤＬＥＤ駆動素子１２のトランジスタのベース・エミッタ間電圧の温度特性と同じ特性を持つ素子を使用している。
【００４８】
次に、以上のように構成されたＶＩＣＳ車載機光ビーコンＬＥＤ駆動回路についてその動作を説明する。
【００４９】
まず、ＬＥＤ発光信号のパルスが入力されると、ダイオード４１により一定振幅電圧にクランプされ、電圧分割回路の抵抗４２と抵抗４３により、要望の電圧に分割され、ＬＥＤ駆動素子１２のトランジスタのベースに入力される。トランジスタのベース電圧に比べベース・エミッタ間電圧だけ低い電圧がＬＥＤ駆動素子１２のエミッタ電圧として出力される。
【００５０】
この電圧を負荷抵抗（抵抗Ｒｓ）１３で割った値の電流が、ＬＥＤ１１のＬＥＤ駆動電流として流れ、ＬＥＤ１１の順方向電圧ＶＦＭと無関係にＬＥＤ発光信号のパルスのＨｉ期間に一定電流として流れる。
【００５１】
また、電圧分圧回路の抵抗４２、抵抗４３に温度により抵抗値が変化する素子を用いており、ツェナー電圧Ｖｚを電圧分割したトランジスタのベース電圧の温度特性が、ＬＥＤＬＥＤ駆動素子１２のトランジスタのベース・エミッタ間電圧の温度特性と同じ特性を持つ素子を使用しているため、温度が変化してもＬＥＤ駆動素子１２のトランジスタのエミッタ電圧は変化しない一定電圧にすることができる。
【００５２】
このため、本の実施の形態による駆動回路は、従来の駆動回路に比べて、駆動電流値がばらつかないため、発光力を安定化することができ、ＬＥＤ１１の順方向電圧ＶＦＭと無関係に電流値を設定することができる。このため、ＬＥＤ１１の歩留りを良好にすることができ、素子コストを安くできる。
【００５３】
ここで、電圧分圧回路の抵抗４２、抵抗４３に温度により抵抗値が変化する素子を用いており、ツェナー電圧Ｖｚを電圧分割したトランジスタのベース電圧の温度特性が、ＬＥＤＬＥＤ駆動素子１２のトランジスタのベース・エミッタ間電圧の温度特性と同じ特性を持つ素子を使用しているとしたが、温度による傾きを故意に設定したい場合、そのような温度補正を掛ける特性の抵抗を用いて温度補正してもかまわない。
【００５４】
図５は本発明に係る光ビーコンＬＥＤ駆動回路の第５実施の形態を示す図である。なお、本実施の形態では、第１実施の形態と同様の構成には同一番号を付して説明を省略する。
【００５５】
図５において電圧クランプ回路５１は、入力されたＬＥＤ発光信号のパルスの電圧振幅を一定電圧振幅にクランプする作用を行うものである。また、オペアンプ５２はＬＥＤＬＥＤ駆動素子１２のトランジスタをオン、オフ制御する素子であり、電圧クランプ回路５１の出力電圧と負荷抵抗１３（抵抗Ｒｓ）の電圧値を比較一致させる電圧比較回路である。
【００５６】
次に、以上のように構成されたＶＩＣＳ車載機光ビーコンＬＥＤ駆動回路についてその動作を説明する。
【００５７】
まず、ＬＥＤ発光信号のパルスが入力されると、電圧クランプ回路５１により一定振幅電圧にクランプされ、その電圧がオペアンプ５２の＋入力端子に入力される。オペアンプ５２は−入力端子に接続した負荷抵抗１３の電圧と前述の＋入力端子の電圧が一致するようにＬＥＤＬＥＤ駆動素子１２を制御する。
【００５８】
すなわち、ＬＥＤ発光信号のパルスがＨｉの間、ＬＥＤＬＥＤ駆動素子１２をオンさせ、ＬＥＤ１１に電流を流す。この電流値はＬＥＤ１１に流れる電流により発生する負荷抵抗１３と電圧クランプ回路５１により一定振幅電圧にクランプされた電圧値が一致するように制御され、＋入力端子電圧値をＶ＋とするとＶ＋／Ｒｓのなり、ＬＥＤ１１の順方向電圧ＶＦＭと無関係にＬＥＤ発光信号のパルスのＨｉ期間に一定電流として流れる。
【００５９】
このため、本実施の形態による駆動回路は、従来の駆動回路に比べて、駆動電流値がばらつかないため、発光量を安定化することができ、ＬＥＤ１１の順方向電圧ＶＦＭと無関係に電流値を設定することができる。このため、ＬＥＤ１１の歩留りを良好にすることができ、素子コストを安くできる。
【００６０】
なお、本実施の形態では、ＶＩＣＳシステムに用いられる光ビーコンＬＥＤ駆動回路として説明したが、ＶＩＣＳシステムに限らず、光による通信システムであればそれに用いることもできる。
【００６１】
【発明の効果】
本発明によれば、ＬＥＤ発光力を安定化することができるとともに、光ビーコンＬＥＤの順方向電圧ＶＦＭの使用可能電圧幅を広くすることができ、歩留りを良くしてＬＥＤのコストを安くすることができる光ビーコンＬＥＤ駆動回路を提供することができる。
【図面の簡単な説明】
【図１】本発明の第１実施の形態における光ビーコンＬＥＤ駆動回路のブロック図
【図２】本発明の第２実施の形態における光ビーコンＬＥＤ駆動回路のブロック図
【図３】本発明の第３実施の形態における光ビーコンＬＥＤ駆動回路のブロック図
【図４】本発明の第４実施の形態における光ビーコンＬＥＤ駆動回路のブロック図
【図５】本発明の第５実施の形態における光ビーコンＬＥＤ駆動回路のブロック図
【図６】従来のＶＩＣＳ車載機光ビーコンＬＥＤ駆動回路のブロック図
【符号の説明】
１１  光ビーコンＬＥＤ
１２  ＬＥＤ駆動素子
１３  負荷抵抗
１４    クランプ回路
２１、３１、４１    ツェナーダイオード
４２、４３    抵抗（電圧分割回路）
【図１】
2004241908.tif 000003
【図２】
2004241908.tif 000004
【図３】
2004241908.tif 000005
【図４】
2004241908.tif 000006
【図５】
2004241908.tif 000007
【図６】
2004241908.tif 000008